【手続補正書】
【提出日】平成21年7月15日(2009.7.15)
【手続補正１】
【補正対象書類名】特許請求の範囲
【補正対象項目名】全文
【補正方法】変更
【補正の内容】
【特許請求の範囲】
【請求項１】
垂直カラーフィルターセンサー群のアレイであって、前記センサー群の各々は最上部センサーを含む３つの垂直に積層した感光性センサーを含み、すべての前記センサー群の最上部センサーは共にセンサーの最上層を構成し、センサー群の他のセンサーは共にセンサーの２つの低層を構成し、前記最上層だけは最大解像度で読み出すことができ、前記低層の各々は最大解像度より小さい解像度で読み出すことができるようにアレイが構成されていることを特徴とするアレイ。
【請求項２】
前記アレイは最上面を有し、前記最上面に読み出し回路を含み、前記最上層はＸ個の最上部センサーを含み、Ｘは数であり、前記低層の各々はＸ個のセンサーよりも少ないセンサーを含み、コンタクトは前記低層の各々における各センサーから前記読み出し回路へ伸びることを特徴とする、請求項１記載のアレイ。
【請求項３】
前記アレイは基板上に形成された構造を含む固体材料から実質的に構成され、前記構造は前記センサー群および前記読み出し回路を実現し、前記低層の各々は前記基板と前記最上面の間に作られ、各前記コンタクトは、前記低層の各々における各センサーから前記読み出し回路へ少なくとも実質的に垂直に伸びることを特徴とする、請求項２記載のアレイ。
【請求項４】
前記低層は、最下層、および前記最上層と前記最下層の間に中間層を含み、
前記最下層はＹ個のセンサーを含み、前記中間層はＺ個のセンサーを含み、ＹおよびＺの各々は少なくとも実質的にＸ／４に等しいことを特徴とする、請求項３記載のアレイ。
【請求項５】
前記センサー群のセンサーに接続した読み出し回路をも含むことを特徴とする、請求項１記載のアレイ。
【請求項６】
前記センサーの少なくとも１つの前記低層における少なくとも１つのセンサーは共有センサーであり、各前記共有センサーは少なくとも２つのセンサー群によって共有されていることを特徴とする、請求項１記載のアレイ。
【請求項７】
少なくとも１つの前記最上部センサーは第１のサイズを持ち、各前記共有センサーは前記第１のサイズより実質的に大きいサイズを持つことを特徴とする、請求項６記載のアレイ。
【請求項８】
前記センサー群の各々の各センサーに接続した読み出し回路も含むアレイであって、前記アレイは、基板上に形成され、前記センサー群および読み出し回路を実現する構造を含む固体材料から本質的に構成されていることを特徴とする、請求項１記載のアレイ。
【請求項９】
センサー群セルのアレイであって、前記アレイの各センサー群セルは、
Ｓ個の垂直カラーフィルターセンサー群であって、ここでＳは数であり、前記センサー群の各々は３つの垂直に積層した最上部センサーを含む感光性センサーを含むことを特徴とし、
すべての前記センサー群の前記最上部センサーは共にセンサーの最上層を構成し、前記センサー群の他のセンサーは共に前記最上層の下に２つの低層のセンサーを構成し、各前記セルは、前記最上層においてＳ個のセンサーを含むとともに、前記低層の各々においてＳ個のセンサーより少ないセンサーを含むことを特徴とする、アレイ。
【請求項１０】
各前記セルは前記低層の各々において少なくとも１つの共有センサーを含み、各前記共有センサーは少なくとも２つのセンサー群によって共有されていることを特徴とする、請求項９記載のアレイ。
【請求項１１】
前記アレイは最上面を持ち、各前記セルは前記最上面で読み出し回路を含み、前記アレイは基板上に形成された構造を含む固体材料から本質的になり、前記構造は各前記セルの前記読み出し回路および前記センサー群を実現し、コンタクトは、前記低層の各々における前記センサーの各々から前記読み出し回路へ少なくとも実質的に垂直に伸びていることを特徴とする、請求項９記載のアレイ。
【請求項１２】
各前記セルは、
センスノード、および
前記セルのセンサーおよび前記センスノードの間で接続したセンサー選択スイッチ
を含み、
前記センサー選択スイッチは読み出し時に制御されるように構成され、センスノードで前記セルの各々のセンサーにおいてシーケンシャルに読み出しを達成することを特徴とする、請求項１１記載のアレイ。
【請求項１３】
前記センサー選択スイッチの各々はトランジスタであることを特徴とする、請求項１２記載のアレイ。
【請求項１４】
Ｓ＝４で、前記低層は最下層および前記最上層および最下層の間の中間層であり、各前記セルは前記最下層および中間層の各々において１つのセンサー並びに６つのセンサー選択スイッチを含み、前記最下層および中間層の各々において各センサーは前記セルのすべてのセンサー群によって共有され、前記センサー選択スイッチの１つは前記最下層における前記センサーに接続され、前記センサー選択スイッチの別の１つは前記中間層におけるセンサーに接続され、前記センサー選択スイッチの各他のセンサーは前記最上層におけるセンサーの異なる１つに接続されていることを特徴とする、請求項１２記載のアレイ。
【請求項１５】
垂直カラーフィルターセンサー群のアレイであって、前記センサー群の各々は３つの垂直に積層した、青色センサー、緑色センサー、および赤色センサーを含む感光性センサーを含み、すべての前記センサー群の青色センサーは共にセンサーの最上層を構成し、すべての前記センサー群の緑色センサーは共にセンサーの中間層を構成し、すべての前記センサー群の赤色センサーは共にセンサーの最下層を構成し、前記アレイは、最大解像度で前記最上層だけを読み出し、最大解像度より小さい解像度で各々の他の層だけを読み出すことができるように構成されていることを特徴とする、アレイ。
【請求項１６】
前記センサー群の各々における前記センサーの各々に接続された読み出し回路を含むアレイであって、前記アレイは、基板上に形成され、前記センサー群および前記読み出し回路を実現する構造を含む固体材料から本質的に構成されていることを特徴とする、請求項１５記載のアレイ。
【請求項１７】
前記アレイは、Ｘ個の青色センサー、Ｙ個の緑色センサー、およびＺ個の赤色センサーを含み、Ｘ＞ＹかつＸ＞Ｚであることを特徴とする、請求項１５記載のアレイ。
【請求項１８】
Ｘは４Ｙに少なくとも実質的に等しく、Ｘは４Ｚに少なくとも実質的に等しいことを特徴とする、請求項１７記載のアレイ。
【請求項１９】
前記アレイは、最上面を持ち、前記アレイは、
最上面に読み出し回路、
緑色センサーコンタクトであって、各緑色センサーコンタクトは緑色センサーの１つと読み出し回路の間に伸びている緑色センサーコンタクト、
赤色センサーコンタクトであって、各赤色センサーコンタクトは赤色センサーの１つと読み出し回路の間に伸びている赤色センサーコンタクト、
をも含むことを特徴とする、請求項１７記載のアレイ。
【請求項２０】
前記アレイは基板上に形成された構造を含む固体材料から本質的になり、前記構造は前記読み出し回路および前記センサー群を実現し、前記緑色センサーコンタクトの各々は、前記緑色センサーの１つから前記読み出し回路へ少なくとも実質的に垂直に伸び、前記赤色センサーコンタクトの各々は、前記赤色センサーの１つから前記読み出し回路へ少なくとも実質的に垂直に伸びていることを特徴とする、請求項１９記載のアレイ。
【請求項２１】
少なくとも１つの中間層および最下層の少なくとも１つのセンサーは共有センサーであり、各前記共有センサーは少なくとも２つのセンサー群によって共有されていることを特徴とする、請求項１５記載のアレイ。
【請求項２２】
少なくとも１つの最上部センサーは第１のサイズを持ち、各前記共有センサーは第１のサイズよりも実質的に大きいサイズを持つことを特徴とする、請求項２１記載のアレイ。
【請求項２３】
前記センサーがフォトダイオードとして機能するためにバイアスされるとき、前記センサーの各々はフォトダイオードとして機能するためにバイアスされるように構成され、光生成キャリアを収集するために構成されるキャリア収集素子を持ち、青色センサーの各々のキャリア収集素子は最小サイズのキャリア収集素子であり、赤色センサーおよび緑色センサーの各々のキャリア収集素子は、垂直軸に垂直な面に投影されされた最小サイズのキャリア収集素子の領域より、実質的に大きい前記面に投影された領域を持つことを特徴とする、請求項１５記載のアレイ。
【請求項２４】
垂直カラーフィルターセンサー群のアレイであって、前記センサー群の各々は３つの垂直に積層した、青色センサー、緑色センサー、および赤色センサーを含む感光性センサーを含み、前記アレイはＸ個の青色センサー、Ｙ個の緑色センサー、およびＺ個の赤色センサーを含み、Ｘ、ＹおよびＺは数であり、Ｘは４Ｙに少なくとも実質的に等しく、Ｘは４Ｚに少なくとも実質的に等しく、すべての前記センサー群の青色センサーは共にセンサーの最上層を構成し、すべての前記センサー群の緑色センサーは共にセンサーの中間層を構成し、すべての前記センサー群の赤色センサーは共にセンサーの最下層を構成することを特徴とするアレイ。
【請求項２５】
各センサー群の各センサーに接続した読み出し回路をも含むアレイであって、前記アレイは、前記センサー群および読み出し回路を実現する、基板上に形成された構造を含む固体材料から本質的になることを特徴とする、請求項２４記載のアレイ。
【請求項２６】
前記アレイは最上面を持ち、前記アレイは、
最上面で読み出し回路、
緑色センサーコンタクトであって、各緑色センサーコンタクトは緑色センサーの１つと読み出し回路の間に伸びている緑色センサーコンタクト、および
赤色センサーコンタクトであって、各赤色センサーコンタクトは赤色センサーの１つと読み出し回路の間に伸びている赤色センサーコンタクト、
をも含むことを特徴とする、請求項２４記載のアレイ。
【請求項２７】
前記アレイは基板上に形成された構造を含む固体材料から本質的になり、前記構造は前記読み出し回路および前記センサー群を実現し、前記緑色センサーコンタクトの各々は、前記緑色センサーの１つから前記読み出し回路へ少なくとも実質的に垂直に伸び、前記赤色センサーコンタクトの各々は、前記赤色センサーの１つから前記読み出し回路へ少なくとも実質的に垂直に伸びていることを特徴とする、請求項２６記載のアレイ。
【請求項２８】
中間層および最下層の各々の少なくとも１つのセンサーは共有センサーであり、各前記共有センサーは少なくとも２つのセンサー群によって共有されていることを特徴とする、請求項２４記載のアレイ。
【請求項２９】
少なくとも１つの最上部センサーは第１のサイズを持ち、各前記共有センサーは第１のサイズよりも実質的に大きいサイズを持つことを特徴とする、請求項２８記載のアレイ。
【請求項３０】
前記センサーがフォトダイオードとして機能するためにバイアスされるとき、前記センサーの各々は、フォトダイオードとして機能するためにバイアスされるように構成され、光生成キャリアを収集するために構成されるキャリア収集素子を持ち、青色センサーの各々のキャリア収集素子は最小サイズのキャリア収集素子であり、赤色センサーおよび緑色センサーの各々のキャリア収集素子は、垂直軸に垂直な面に投影されされた最小サイズのキャリア収集素子の領域より、実質的に大きい前記面に投影された領域を持つことを特徴とする、請求項２４記載のアレイ。
【手続補正２】
【補正対象書類名】明細書
【補正対象項目名】００１５
【補正方法】変更
【補正の内容】
【００１５】
ＶＣＦセンサー群は、上述のＵＳ特許出願10/738,484および10/355,723に記載されているが、ピクセルセンサー位置ごとに輝度を測定する利点や、カラーエイリアシング・アーチファクトを誘発しない方法で色測定する利点を含む、単一層センサーのアレイ（たとえば、ベイヤパターンを持つ従来アレイ、従来のカラーフィルターモザイク技術を実行するアレイ）以上の重要な利点を持つ。良い彩度解像度を達成するためにピクセルセンサー位置ごとに色測定をする付加的利点は、余り重要ではなく、ＶＣＦセンサー群のアレイの１層（たとえば、緑、赤、または青色層）が最大解像度（充分な解像度）を持って読み出すことができるように、またそのアレイの少なくとも１つの他の層がより低い解像度を持つように、実行することによって、犠牲とすることができることである（たとえば、上述のＵＳ特許出願10/738,484および10/355,723に記載されている）。